(57)【特許請求の範囲】
【請求項１】
第１舌板が設けられる第１相手部と、第２舌板が設けられる第２相手部と、を含む絶縁性本体と、
前記絶縁性本体の前記第１相手部に固着され、第１接触端子と第１付加端子とを含む複数の第１端子と、
前記絶縁性本体の前記第２相手部に固着される複数の第２端子と、
を備え、
前記第１接触端子は、前記第１舌板の下に配置される第１接触部と、前記絶縁性本体から外へ延在する第１半田接続部とを有し、第１付加端子には第１半田接続脚が設けられ、
前記第１接触端子の前記第１接触部と前記第１付加端子の前記第１相手部とが、前記第１舌板の異なる表面に配置されることを特徴とするソケットコネクタ。
【請求項２】
前記絶縁性本体の前記第１、第２舌板の延在する方向は、前記第１、第２端子の前記半田接続部、前記半田接続脚の延在する方向と直交することを特徴とする請求項１に記載のソケットコネクタ。
【請求項３】
前記絶縁性本体の前記第１、第２舌板の延在する方向が、第１、第２端子の半田接続部、半田接続脚の延在する方向と平行であることを特徴とする請求項１に記載のソケットコネクタ。
【請求項４】
前記絶縁性本体の第１、第２相手部の下には、少なくとも一つの付加相手部が設けられることを特徴とする請求項１に記載のソケットコネクタ。
【請求項５】
前記第１舌板の寸法は、標準のＵＳＢ２．０Ａ型のソケットコネクタに対応する舌板の寸法と実質的に同一であることを特徴とする請求項１に記載のソケットコネクタ。
【請求項６】
前記第１舌板には、上表面と下表面とを含み、前記上表面には、前記第１付加端子に設けられる第１連接部を収納するための複数の第１端子溝が形成され、前記下表面には、前記第１付加端子の前記第１相手部を収納するための複数の凹所と、及び第１接触端子を収納するための第２端子溝と、が形成されることを特徴とする請求項１に記載のソケットコネクタ。
【請求項７】
当該前記ソケットコネクタは蓋体を含み、
該蓋体は、前記絶縁性本体を被覆する外蓋体と、前記絶縁性本体の前記第１、第２舌板の間に設けられる中間板を被覆する第１内蓋体と、前記外蓋体に取り付けられる後蓋体と、を有することを特徴とする請求項１に記載のソケットコネクタ。  
【発明の詳細な説明】
【技術分野】
【０００１】
本発明は、電気コネクタに関し、特に、ＵＳＢ（Ｕｎｉｖｅｒｓａｌ  Ｓｅｒｉａｌ  Ｂｕｓ）標準に符合したソケットコネクタに関するものである。
【背景技術】
【０００２】
通常の標準のＵＳＢ２．０ソケットコネクタは絶縁舌片と、絶縁舌片の下表面に実装される四つのソケット端子と、ハウジングとを備える。前記ソケット端子はパワー端子と、負信号端子と、正信号端子と、接地端子とを含む。正信号端子と負信号端子とは一対の差分信号端子に形成される。絶縁舌片の下表面とハウジングの間には、プラグコネクタの舌片を収納するための収納孔が形成される。プラグコネクタがソケットコネクタと連接する時、ソケット端子がプラグ端子と電気接続する。
【発明の開示】
【発明が解決しようとする課題】
【０００３】
信号を転送する速度を高めるためには、通常の端子に複数の端子を増加する必要がある。同時に、通常のＵＳＢコネクタが占めるスペースを増加させないことが求められる。
【０００４】
そこで本発明の目的は、信号を転送する速度を高めるソケットコネクタを提供することにある。
【課題を解決するための手段】
【０００５】
前記目的を達成するために、本発明のソケットコネクタは、絶縁性本体と、複数の第１、第２端子と、を備える。絶縁性本体は、第１舌板が設けられる第１相手部と、第２舌板が設けられる第２相手部と、を含む。前記第１端子は絶縁性本体の第１相手部に固着され、第１接触端子と第１付加端子とを含む。前記第２端子は前記絶縁性本体の第２相手部に固着される。前記第１接触端子が第１舌板の下に配置される第１接触部と、絶縁性本体から延在する第１半田接続部とを有する。第１付加端子が第１半田接続脚が設けられ、前記第１接触部と第１付加端子の第１相手部が、第１舌板の異なる表面に配置される。第２付加端子は、両対の差分信号端子と、該両対の差分信号端子の間に配置される接地端子とを備える。
【発明の効果】
【０００６】
従来の技術に比べると、本発明には以下の長所がある。本発明のソケットコネクタには、複数の差分信号端子が増加される。これにより、信号を転送する速度が高められる。
【発明を実施するための最良の形態】
【０００７】
図１から図５に基づくと、本発明のソケットコネクタは、ＵＳＢプラグコネクタ（図示せず）と連接するＵＳＢソケットコネクタ１００である。
【０００８】
図１から図５を参照すると、第１実施状態におけるソケットコネクタ１００は二つの端口が上下に重ねられている。ソケットコネクタ１００は、絶縁性本体１と、該絶縁性本体１に挿入される複数の第１接触端子２０１、第１付加端子２０２と、第１付加端子２０２を定位する定位部材４と、絶縁性本体１に被覆する蓋体３とを備える。
【０００９】
絶縁性本体１は、基部１２と、基部１２から前向きに突出する第１舌板１３、第２舌板１４と、該対の舌板１３，１４の間に設けられる中間板１５とを有する。第１舌板１３の上表面１３１には複数の第１端子溝１３１０が形成される。第１舌板１３の下表面１３２には、前記第１端子溝１３１０と貫通する複数の凹所１３２０と、前記基部１２を貫通して前記凹所１３２０と対応する第２端子溝１３２１とが形成される。基部１２には、複数の凸状部片１２１０と凹溝１２１１とが設けられる。
【００１０】
第１接触端子２０１は、第１接触部２０１０と、第１半田接続部２０１２と、第１接触部２０１０と第１半田接続部２０１２との間に設けられるＬ字状の固持部２０１１とを含む。第１付加端子２０２は、両対の差分信号端子２０３と、該両対の差分信号端子２０３の間に配置される接地端子２０４とを有する。各差分信号端子２０３はＵ字状に折曲される平板状の第１相手部２０３１と、Ｌ字状の第１連接部２０３２と、第１半田接続部２０３４とを備える。接地端子２０４はＵ字状に折曲される平板状の第２相手部２０４１と、Ｌ字状の第２連接部２０４２と、第２半田接続部２０４４とを備える。
【００１１】
定位部材４は、階段に形成され、上下に延在する複数の定位溝４１が形成される。
【００１２】
蓋体３は、外蓋体３１と、第１内蓋体３３と、後蓋体３２とを備える。外蓋体３１は、底壁３１１と、該底壁３１１と対向する頂壁３１０と、一対の対向する側壁３１２とを有する。外蓋体３１には、壁３１０〜３１２の前端から包囲される相手端口３１５が形成される。外蓋体３１の各壁３１０〜３１２には複数の弾力ビーム３１３が設けられる。頂壁３１０には複数の貫通孔３１００が形成される。側壁３１２には、内へ向きに突伸する複数の延在片３１２１と、複数の凹口３１２０とが形成される。外蓋体３１には、側壁３１２の底部から下向きに延在する複数の取付脚３１２２が設けられる。
【００１３】
第１内蓋体３３は、四つの壁部３３２が互いに連接されることによって製造される。第１内蓋体３３の前端には、一対の弾力ビーム３３０が設けられる。壁部３３２の中の側壁部３３２には複数の定位片３３１が設けられる。壁部３３２の中の上壁部３３２は、一対の弾力片３３３と、後向きに延在する一対の実装片３３４とを含む。
【００１４】
後蓋体３２は、片状部３２１と片状部３２１に設けられる複数の係合片３２２とを有する。
【００１５】
該ソケットコネクタ１００を組み合わせる時は、第１接触端子２０１が絶縁性本体１の第２端子溝１３２１に挿入され、第１付加端子２０２が絶縁性本体１の第１端子溝１３１０に挿入され、第１、第２相手部２０３１，２０４１が凹所１３２０に嵌め込まれる。第１接触端子２０１は第１付加端子２０２とは接触しない。前記第１接触端子２０１の第１接触部２０１０が第１舌板１３の下表面１３２から突出し、前記第１付加端子２０２の第１相手部２０３１下表面１３２に対して凹設する。定位部材４が第１付加端子２０２の下に実装される。第１付加端子２０２の第１半田接続脚２０３４、第２半田接続部２０４４が定位部材４の定位溝４１に挿入される。外蓋体３１が絶縁性本体１に被覆する。絶縁性本体１の第１、第２舌板１３，１４が外蓋体３１の相手端口３１５に収納されて相手コネクタ（図示せず）と電気接続する。絶縁性本体１の凸状部片１２１０が外蓋体３１の凹口３１２０と嵌合する。外蓋体３１の延在片３１２１が絶縁性本体１の凹溝１２１１と係合する。外蓋体３１の弾力ビーム３１３が絶縁性本体１に当接する。第１内蓋体３３が絶縁性本体１の中間板１５を被覆する。第１内蓋体３３の定位片３３１が外蓋体３１の側壁３１２と当接する。後蓋体３２が外蓋体３１の後端に被覆し、後蓋体３２の係合片３２２が外蓋体３１の係合孔３１００と係合する。
【００１６】
図６から７を参照すると、第２実施状態においては、外蓋体３１’の取付脚３１２２’が側壁３１２’の後端から後向きに延在する。第１端子２０’、第２端子２１’の半田接続部２５’が後向きに延在する。絶縁性本体１’の第１、第２相手部１０’、１１’が相手端口３１５’に収納される。回路基板５’がソケットコネクタ１００’の後に実装される。外蓋体３１’の取付脚３１２２’と第１、第２端子２０’、２１’の半田接続部２５’は、回路基板５’に実装される。該回路基板５’は、相手端口３１５’或いは第１、第２相手部１０’、１１’と対向する。ソケットコネクタ１００’と回路基板５’と、一緒に、別の方式で置くことができる。
【００１７】
図８を参照すると、第３実施状態において、第１実施状態における絶縁性本体１には、第１相手部１０に相当する第３相手部１６が増設される。該第３相手部１６が、第１、第２相手部１０，１１の下に配置される。導電端子２は、第３相手部１６に挿入される第３端子２２が増加される。該第３端子２２の構造が第１端子２０の構造に相当する。第２、第３相手部１１、１６の間には、前記第１内蓋体３３と相同する第２内蓋体３５が増設される。
【００１８】
図９を参照すると、第４実施状態において、第１実施状態における絶縁性本体１には、第１相手部１０に相当する第３、第４相手部１６’、１７が増設される。該第３、第４相手部１６’、１７が、第１、第２相手部１０，１１の下に配置される。導電端子２は、第３、第４相手部１６’、１７に挿入される第３、第４端子２２’、２３が増加される。該第３端子２２’、２３の構造が第１端子２０の構造に相当する。第２、第３相手部１１、１６’の間と第３、第４相手部１６’、１７の間には、前記内蓋体３３に相当する第２、第３内蓋体３５’、３６が増加される。
【００１９】
以上、本発明について好ましい実施形態を参照して詳細に説明したが、実施形態はあくまでも例示的なものであり、これらに限定されるものではない。また上述の説明は、本発明に基づき成し得る細部の修正或は変更などは、いずれも本発明の技術的範囲に属するものである。
【図面の簡単な説明】
【００２０】
【図１】本発明の第１実施状態におけるソケットコネクタの組立図である。
【図２】図１に示す蓋体が装着されない時のソケットコネクタの組立図である。
【図３】図２に示すソケットコネクタの分解図である。
【図４】図３の分解図の別方向から見た図である。
【図５】図１の正面図である。
【図６】本発明の第２実施状態におけるソケットコネクタの後面図である。
【図７】図６に示すソケットコネクタの分解斜視図である。
【図８】本発明の第３実施状態におけるソケットコネクタの組立斜視図である。
【図９】本発明の第４実施状態におけるソケットコネクタの組立斜視図である。
【符号の説明】
【００２１】
１  絶縁性本体
１０、１０’  第１相手部
１００、１００’  ソケットコネクタ
１１、１１’  第２相手部
１２  基部
１２１  側面
１２１０  凸状部片
１２１１  凹溝
１３  第１舌板
１３１  上表面
１３１０  第１端子溝
１３２  下表面
１３２０  凹所
１３２１  第２端子溝
１４  第２舌板
１５  中間板
１６’  第３相手部
１７’  第４相手部
２  導電端子
２０、２０’  第１端子
２０１  第１接触端子
２０１０  第１接触部
２０１１  固持部
２０１２  第１半田接続部
２０２  第１付加端子
２０３  差分信号端子
２０３１  第１相手部
２０３２  第１連接部
２０３４  第１半田接続脚
２０４  接地端子
２０４１  第２相手部
２０４２  第２連接部
２０４４  第２半田接続部
２１、２１’  第２端子
２２  第３端子
２３  第４端子
２５’  半田接続部
３  蓋体
３１  外蓋体
３１０  頂壁
３１００  係合孔
３１１  底壁
３１２、３１２’  側壁
３１２０  凹口
３１２１  延在片
３１２２、３１２２’  取付脚
３１３、３３０  弾力ビーム
３１５  相手端口
３２  後蓋体
３２’  内蓋体
３２１  片状部
３２２  係合片
３３  第１内蓋体
３３０  弾力ビーム
３３１  定位片
３３２  壁部
３３３  弾力片
３３４  実装片
３５  第２内蓋体
３６  第３内蓋体
４  定位部材
４１  定位溝
５’  回路基板
【図１】
0004790768.tif 000002
【図２】
0004790768.tif 000003
【図３】
0004790768.tif 000004
【図４】
0004790768.tif 000005
【図５】
0004790768.tif 000006
【図６】
0004790768.tif 000007
【図７】
0004790768.tif 000008
【図８】
0004790768.tif 000009
【図９】
0004790768.tif 000010